(57)【特許請求の範囲】
【請求項１】
電子レンジ収納部と小型冷蔵庫収納部と軽食カウンターとが備えられた電子レンジ調理用家具が、壁向き設置のキッチン本体部の手前側に、所定の間隔をおき、冷蔵庫収納部を反キッチン側に向け、軽食カウンターをキッチン本体部と平行にする態様で設置されていることを特徴とするキッチン構造。
【請求項２】
前記電子レンジ調理用家具が、食器類収納部を備えている請求項１に記載のキッチン構造。
【請求項３】
前記電子レンジ収納部が、小型冷蔵庫収納部の上方に設けられ、キッチン側に向けたり反キッチン側に向けたりすることができるよう、垂直軸線回りで首振り可能に備えられている請求項１又は２に記載のキッチン構造。
【請求項４】
前記食器類収納部が、小型冷蔵庫収納部の上方に設けられ、キッチン側に向けたり反キッチン側に向けたりすることができるよう、垂直軸線回りで首振り可能に備えられている請求項２又は３に記載のキッチン構造。
【請求項５】
前記電子レンジ調理用家具が、シンクを備えている請求項１乃至４のいずれか一に記載のキッチン構造。
【発明の詳細な説明】
【０００１】
【発明の属する技術分野】
本発明は、電子レンジ調理用家具及び電子レンジ調理装置に関する。
【０００２】
【従来の技術】
冷凍食材や電子レンジの普及で、例えば、単身者世帯などでは、コンロを使用して調理をするより、食材を電子レンジで調理して簡単に食事を済ませることが多い。また、共働き世帯などでも、朝食や平日の食事は、冷蔵庫から食材を取りだし、電子レンジで調理して簡単に食事を済ませることが少なくない。
【０００３】
【発明が解決しようとする課題】
しかしながら、冷蔵庫から電子レンジまでの距離が離れていたり、電子レンジと食器類収納部とが離れていたり、盛りつけをしたり食事をしたりする軽食カウンターが電子レンジや食器類収納部から離れていたりするのが一般的で、食材の取出しから電子レンジによる調理、盛りつけ、そして食事をするまでに結構な手間を要するという問題があった。そこで、生活の知恵としてそれらを近づけようにレイアウトすることも行われているところであるが、その場合、往々にして、レイアウトが雑然としたものになってしまう。
【０００４】
本発明は、このような背景に鑑み、電子レンジによる調理を手間をかけずに容易に行うことができ、しかも、整然としたレイアウトを実現することができる電子レンジ調理用家具及び電子レンジ調理装置等を提供することを課題とする。
【０００５】
【課題を解決するための手段】
上記の課題は、電子レンジ収納部と小型冷蔵庫収納部とが備えられていることを特徴とする電子レンジ調理用家具によって解決される。
【０００６】
この家具によれば、電子レンジ収納部に電子レンジを収納し、小型冷蔵庫収納部に小型冷蔵庫を収納しておくことで、この小型冷蔵庫から食材を取り出し、動き回ることなく、その食材を電子レンジに入れて調理することが可能となり、電子レンジによる調理を、手間をかけずに容易に行うことができる。
【０００７】
しかも、この家具によって使用可能な冷蔵庫のサイズが明確になり、そのサイズの冷蔵庫と電子レンジとをこの家具に収納して設置することで、電子レンジと冷蔵庫とを整然としたレイアウトで使い勝手良く備えさせることができる。従って、冷蔵庫の上に電子レンジを置くなどの間に合わせの雑然としたレイアウトになることもない。冷蔵庫は、簡単な食事をするための電子レンジ調理用の専用品として位置づけておくのがよい。
【０００８】
この場合に、電子レンジ収納部が小型冷蔵庫収部の上方に備えられている場合は、電子レンジ使用時の熱が小型冷蔵庫側に伝われるを抑制ないしは防止することができる。
【０００９】
上記の家具において、食器類収納部が備えられている場合は、料理の盛り付けに必要な食器、味付けのための調味料などをこの食器類収納部に収納しておくことができ、これらの取出しを容易に行うことができる。
【００１０】
また、上記の家具において、電子レンジ収納部や食器類収納部が、小型冷蔵庫収納部の上方に設けられ、垂直軸線回りで首振り可能に備えられている場合は、例えば、壁に向け設置されているキッチンの背後に、この電子レンジ調理用家具を、小型冷蔵庫のドアを反キッチン側に向けるように設置したとき、電子レンジを首振りさせることで、キッチン側からでもキッチンの外からでも電子レンジを使用することができ、また、食器類収納部についても、キッチンで洗った食器をキッチン側から収納し、キッチンの外から食器を取り出すことができる。
【００１１】
軽食カウンターが備えられている場合は、例えば、この軽食カウンターに食器をおき、電子レンジから取り出した料理をその食器に容易に盛り付けることができ、そしてそのまま、その軽食カウンターで食事に入ることなどができる。
【００１２】
また、シンクが備えられている場合、食後の食器をこのシンクで洗うことができ、食器類収納部が備えられている場合は、動き回ることなく、洗った食器を容易に食器類収納部に戻すことができる。
【００１３】
また、軽食カウンターの備えられた電子レンジ調理用家具が、壁向き設置のキッチン本体部の手前側に、所定の間隔をおき、冷蔵庫収納部を反キッチン側に向け、軽食カウンターをキッチン本体部と平行にする態様で設置されているキッチン構造では、キッチンで本格的な調理を行う場合に、軽食カウンターを作業台として利用することができる。この場合に、電子レンジ収納部が首振り可能である場合は、キッチンに入ることなく、家具を挟んでキッチン本体部とは反対の側から電子レンジに食材を入れて調理をすることができると共に、キッチンでの本格的調理にこの電子レンジを使用することができる。
【００１４】
また、上記の課題は、電子レンジ部と食品冷蔵部とが備えられていることを特徴とする電子レンジ調理装置によって解決される。この調理装置によれば、冷蔵庫から食品を取り出し、その場で電子レンジによる調理を行うことができる。この場合、食品冷蔵部の上方に電子レンジ部を備えさせるとよい。
【００１５】
【発明の実施の形態】
次に、本発明の実施形態を図面に基づいて説明する。
【００１６】
図１に示す第１実施形態のキッチン構造において、１はキッチン本体部、２は電子レンジ調理用家具である。キッチン本体部１は、シンクやコンロなどが備えられている一般的なもので、その背面側を壁に向けて壁に沿わせるようにして設置されている。
【００１７】
電子レンジ調理用家具２は、電子レンジ収納部４と、小型冷蔵庫収納部５と、食器類収納部６と、カウンター７とを備えている。本実施形態における各収納部４，５，６は、側面に開口部を有するボックス形のもので、小型冷蔵庫収納部５を最下部とし、その上に食器類収納部６組み合わされ、更にその上に電子レンジ収納部４が組み合わされている。そして、電子レンジ収納部４は食器類収納部６に対して垂直軸線回りで首振り可能に備えられ、食器類収納部６は小型冷蔵庫収納部５に対して垂直軸線回りで首振り可能に備えられている。カウンター７は、小型冷蔵庫収納部５の冷蔵庫ドア側の開口部と直交する横方向に延ばされている。
【００１８】
この電子レンジ調理用家具２は、キッチン本体部１の手前側に、所定の間隔をおき、冷蔵庫収納部５を反キッチン側に向け、軽食カウンター７をキッチン本体部１と平行にする態様で設置され、電子レンジ収納部４に電子レンジ８を、小型冷蔵庫収納部５に小型冷蔵庫９をそれぞれ収納設置し、食器類収納部６に食器や調味料、ポットなどの付随品を収納して用いられる。小型冷蔵庫９には、電子レンジ８で簡単に調理できる食材などが入れられている。図示しないが、キッチン本体部１の側には、メインの冷蔵庫が設置されており、小型冷蔵庫９はサブの冷蔵庫として位置付けられている。
【００１９】
上記のキッチン構造では、例えば、次のような使い方が可能である。即ち、単身者世帯や共働き世帯では、朝食や平日の食事は、キッチンに入り込むことなく、電子レンジ収納部４と食器類収納部６とを反キッチン側に向け、小型冷蔵庫９から食材を取り出し、電子レンジ８に入れて調理し、食器類収納部６から取り出した食器に盛り付け、カウンター７で簡単に食事を済ませることができる。食後は、キッチン本体部１側で食器を洗い、食器類収納部６をキッチン側に向け、食器をこの収納部６に収納する。また、週末に本格的な調理をしようというときは、キッチン側に入って、カウンター７を作業台にして調理を行うことができる。調理において電子レンジ８を使用するときは、これをキッチン側に首を振らせて、使用することができる。
【００２０】
図２に示す第２実施形態のキッチン構造は、上記のようなキッチン本体部１がなく、この家具でメインのキッチンを構成した場合のものである。ミニシンク１０が備えられており、食器の後片づけを行うことができるようになっている。このキッチン構造は、食事は簡単に済ませたいと考える単身者向けキッチンとして好適である。
【００２１】
図３に示す第３実施形態の電子レンジ調理用家具２は、冷蔵庫収納部５、食器類収納部６、電子レンジ収納部４が下から上へと備えられ、かつ、下部にキャスター１１が備えられている。種々移動させて、移動先で、食材の取出しから電子レンジによる調理、食器への盛り付けまでを行うことができる。パーティーなどを行うときに便利である。食器類収納部６、電子レンジ収納部４は、首振りできるように備えられていてもよいし、首を振らない固定形で備えられていてもよい。
【００２２】
図４に示す第４実施形態の電子レンジ調理装置１２は、電子レンジ部１３と食品冷蔵部１４とが備えられた家電品として構成されているものである。食品冷蔵部１３から食材を取り出し、それを電子レンジ部１３に入れて調理することができ、非常に便利である。電子レンジ部１３は、下の食品冷蔵部１４に対し、固定されていてもよいし、垂直軸線回りで首振りできるように備えられていてもよい。
【００２３】
以上に、本発明の実施形態を示したが、本発明はこれに限られるものではなく、発明思想を逸脱しない範囲で各種の変更が可能である。例えば、上記の実施形態では、電子レンジ収納部に電子レンジを収納した例を示したが、電子レンジに替えてオーブントースターを収納してもよい。また、「冷蔵庫」の語及び「冷蔵部」の語は、冷蔵のみを行うものや、冷凍のみを行うもの、冷凍と冷蔵の両方を行うものなどを含む概念であることはいうまでもない。
【００２４】
【発明の効果】
本発明は、以上のとおりのものであるから、電子レンジによる調理を手間をかけることなく容易に行うことができ、しかも、整然としたレイアウトを実現することができる。
【図面の簡単な説明】
【図１】第１実施形態の電子レンジ調理用家具を用いたキッチン構造を示す斜視図である。
【図２】第２実施形態の電子レンジ調理用家具を用いたキッチン構造を示す斜視図である。
【図３】第３実施形態の電子レンジ調理用家具を示す正面図である。
【図４】第４実施形態の電子レンジ調理装置を示す正面図である。
【符号の説明】
１…キッチン本体部
２…電子レンジ調理用家具
４…電子レンジ収納部
５…小型冷蔵庫収納部
６…食器類収納部
７…カウンター
１０…ミニシンク
１２…電子レンジ調理装置
１３…電子レンジ部
１４…食品冷蔵部
【図１】
0004312933.tif 000002
【図２】
0004312933.tif 000003
【図３】
0004312933.tif 000004
【図４】
0004312933.tif 000005